(57)【要約】【課題】家具本体を建物の壁面に吊り下げるための位置合わせを一度で済ませて、背板を含めた家具本体を組み立てやすくする。【解決手段】収納家具１は、背板３０と、左右の側板４０Ｒ，４０Ｌと、底板５０と、天板６０とを有し、前側が開口された矩形箱状の家具本体２を備える収納家具１である。家具本体２は、該家具本体２を建物の壁面Ｗに吊り下げるための基準位置Ｙに、壁面Ｗに左右方向に延びるように裏面で取り付けられる板材からなる支持体１０を備え、支持体１０の裏面の少なくとも上端角部に断面矩形状に切り欠かれて左右方向に延びる上側段差部１１が設けられ、背板３０は、裏面が壁面Ｗに取り付けられる中央背板３１を含み、支持体１０が壁面Ｗに取り付けられている状態で、壁面Ｗと支持体１０の上側段差部１１との間に形成される間隙Ａに中央背板３１の下端部が差し込まれている。【選択図】図２
2016202748.tif 000002
【特許請求の範囲】
【請求項１】
建物の壁面に取り付けられる背板と、左右の側板と、底板と、天板とを有し、前側が開口された矩形箱状の家具本体を備える収納家具であって、
前記家具本体は、該家具本体を前記建物の壁面に吊り下げるための基準位置に、前記建物の壁面に左右方向に延びるように裏面で取り付けられる板材からなる支持体を備え、
前記支持体の裏面の少なくとも上端角部に断面矩形状に切り欠かれて左右方向に延びる上側段差部が設けられ、
前記背板は、裏面が前記建物の壁面に取り付けられる第１の背板を含み、
前記支持体が前記建物の壁面に取り付けられている状態で、前記建物の壁面と前記支持体の上側段差部との間に形成される間隙に前記第１の背板の下端部が差し込まれている、収納家具。
【請求項２】
請求項１に記載の収納家具において、
前記支持体には、その裏面の下端角部に断面矩形状に切り欠かれて左右方向に延びる下側段差部がさらに設けられ、
前記背板は、前記第１の背板の下方に設けられかつ裏面が前記建物の壁面に取り付けられる第２の背板を含み、
前記建物の壁面と前記支持体の下側段差部との間に形成される間隙に前記第２の背板の上端部が差し込まれている、収納家具。
【請求項３】
請求項１または２に記載の収納家具において、
前記家具本体は、前記支持体の上方に設けられかつ前記建物の壁面に左右方向に延びるように裏面で取り付けられる板材からなる補助支持体を備え、
前記補助支持体の裏面の上端角部および下端角部のそれぞれに断面矩形状に切り欠かれて左右方向に延びる上側段差部および下側段差部がそれぞれ設けられ、
前記背板は、前記第１の背板の上方に設けられかつ裏面が前記建物の壁面に取り付けられる第３の背板を含み、
前記補助支持体が前記建物の壁面に取り付けられている状態で、前記建物の壁面と前記補助支持体の下側段差部との間に形成される間隙に前記第１の背板の上端部が差し込まれかつ前記建物の壁面と前記補助支持体の上側段差部との間に形成される間隙に前記第３の背板の下端部が差し込まれている、収納家具。
【請求項４】
請求項３に記載の収納家具において、
前記第１〜第３の背板の各々には、その裏面に前記建物の壁面に取り付けるための粘着部が設けられている、収納家具。
【請求項５】
請求項３または４に記載の収納家具において、
前記左右の側板の各々は、前記支持体および前記補助支持体の左右両端部に取り付けられている、収納家具。
【請求項６】
請求項３〜５のいずれか１項に記載の収納家具において、
前記左右の側板の間に設けられて、前記支持体および前記補助支持体に取り付けられる中央側板をさらに備える、収納家具。
【請求項７】
請求項１に記載の収納家具の施工方法であって、
前記家具本体を前記建物の壁面に吊り下げるための基準位置に合わせて前記支持体を前記建物の壁面に取り付けて、前記建物の壁面と前記支持体の上側段差部との間に間隙を形成するステップと、
前記第１の背板の下端部を該間隙に差し込んで、前記第１の背板を前記建物の壁面に取り付けるステップと、を備える、収納家具の施工方法。
【請求項８】
請求項７に記載の収納家具の施工方法において、
前記支持体には、その裏面の下端角部に断面矩形状に切り欠かれて左右方向に延びる下側段差部がさらに設けられ、
前記背板は、前記第１の背板の下方に設けられかつ裏面が前記建物の壁面に取り付けられる第２の背板を含み、
前記支持体を前記建物の壁面に取り付ける前に前記第２の背板の上端部を前記支持体の下側段差部に連結して、前記支持体とともに前記第２の背板を前記建物の壁面に取り付けるステップを備える、収納家具の施工方法。
【請求項９】
請求項８に記載の収納家具の施工方法において、
前記第２の背板の裏面には前記建物の壁面に取り付けるための粘着部が設けられており、
前記支持体を前記建物の壁面に取り付ける前に、前記粘着部により前記支持体および前記第２の背板を前記建物の壁面に仮止めし、この仮止め状態で、前記支持体の位置調整を行うステップを備える、収納家具の施工方法。
【請求項１０】
請求項７〜９のいずれか１項に記載の収納家具の施工方法において、
前記家具本体は、前記支持体の上方に設けられかつ前記建物の壁面に左右方向に延びるように裏面で取り付けられる板材からなる補助支持体を備え、
前記補助支持体の裏面の上端角部および下端角部のそれぞれに断面矩形状に切り欠かれて左右方向に延びる上側段差部および下側段差部がそれぞれ設けられ、
前記背板は、前記第１の背板の上方に設けられかつ裏面が前記建物の壁面に取り付けられる第３の背板を含み、
前記第１の背板を前記建物の壁面に取り付ける前に前記第１の背板の上端部を前記補助支持体の下側段差部に連結して、前記第１の背板とともに前記補助支持体を前記建物の壁面に取り付けて、前記建物の壁面と前記補助支持体の上側段差部との間に間隙を形成するステップと、
前記第３の背板の下端部を該間隙に差し込んで、前記第３の背板を前記建物の壁面に取り付けるステップと、を備える、収納家具の施工方法。
【請求項１１】
請求項１０に記載の収納家具の施工方法において、
前記左右の側板の間に設けられて、前記支持体および前記補助支持体に取り付けられる中央側板をさらに備え、
前記左右の側板の各々を前記支持体および前記補助支持体の左右両端部に取り付けるステップと、
前記中央側板を前記左右の側板の間に配置して、前記支持体および前記補助支持体に取り付けるステップと、をさらに備える、収納家具の施工方法。
【発明の詳細な説明】
【技術分野】
【０００１】
本発明は、収納家具およびその施工方法に関する。
【背景技術】
【０００２】
従来、建物の壁面に吊り下げられる形式の収納家具として、特許文献１には、水平方向に延びて壁面に固定されその上部に係合部を有する固定桟と、該固定桟の係合部に連結される係合桟がその裏面に設けられた背板を備えるキャビネットとからなる壁面収納家具が開示されている。
【０００３】
また、特許文献２には、上下に互いに平行に左右方向に延びるように建物の壁面に埋設されている複数の下地補強材と、該下地補強材の各々にビスにより取り付けられる背板と、背板の下端に配置されて最下端の下地補強材に固定されている支持桟とを備える玄関収納構造が開示されている。
【０００４】
さらに、特許文献３には、玄関の壁面に取り付けられている上方の吊り戸棚と、該吊り戸棚の下方に設けられている下箱と、を備える玄関収納ユニットが開示されている。
【先行技術文献】
【特許文献】
【０００５】
【特許文献１】特開平１１−３４６８５６号公報
【特許文献２】特開２００３−２６５２４４号公報
【特許文献３】特開平０９−０００３６２号公報
【発明の概要】
【発明が解決しようとする課題】
【０００６】
特許文献１の壁面収納家具では、収納家具本体を一旦床上で組み立て、壁面に位置出しをした後に固定桟を壁面に取り付け、その後に収納家具本体を持ち上げて固定桟の係合部に背板の裏面に設けられた係合桟を連結しなければならない。すなわち、特許文献１の壁面収納家具では、重い収納家具本体を持ち上げて建物の壁面に吊さなければならないため、施工が面倒になるという問題があった。
【０００７】
また、特許文献２の玄関収納構造のように、建物の壁面に埋設されている複数の下地補強材に背板を取り付けてから、左右の側板、天板、底板、棚板、扉を順次組み立てる形式の玄関収納構造も存在している。しかしながら、この形式において、大型の収納構造を施工する場合、安定化のために上下方向に複数本の下地補強材を併設しなければならず、それぞれの下地補強材について個別に位置決めを行わなければならない。このため、この玄関収納構造を施工する際、位置出しに手間がかかってしまうという問題があった。
【０００８】
さらに、特許文献３の収納構造では、吊り戸棚および下箱の各々に分けて施工しなければならず、施工の手間がかかってしまうという問題があった。
【０００９】
本発明の目的は、背板の取付構造に工夫を加えることで、家具本体を建物の壁面に吊り下げるための位置合わせを一度で容易に済ませて、背板を含めた家具本体を組み立てやすくすることにある。
【課題を解決するための手段】
【００１０】
上記の目的を達成するために、本発明は、家具本体を建物の壁面に吊り下げるための基準位置に合わせて支持体を建物の壁面に取り付けることにより、家具本体の位置合わせを一度で済ませて、該支持体の位置を基準に背板を含めた家具本体を順次組み立てることができるようにした。
【００１１】
具体的には、本発明の第１の形態による収納家具は、建物の壁面に取り付けられる背板と、左右の側板と、底板と、天板とを有し、前側が開口された矩形箱状の家具本体を備える収納家具であって、家具本体は、該家具本体を建物の壁面に吊り下げるための基準位置に、建物の壁面に左右方向に延びるように裏面で取り付けられる板材からなる支持体を備え、支持体の裏面の少なくとも上端角部に断面矩形状に切り欠かれて左右方向に延びる上側段差部が設けられ、背板は、裏面が建物の壁面に取り付けられる第１の背板を含み、支持体が建物の壁面に取り付けられている状態で、建物の壁面と支持体の上側段差部との間に形成される間隙に第１の背板の下端部が差し込まれていることを特徴とする。
【００１２】
この第１の形態によれば、支持体が家具本体を建物の壁面に吊り下げるための基準位置に取り付けられ、建物の壁面と支持体の上側段差部との間に形成される間隙に第１の背板の下端部が差し込まれているため、背板を含む家具本体の位置が定まりやすくなり、家具本体の位置合わせを一度で済ませて、支持体の位置を基準に背板を含めた家具本体を壁面に吊り下げることができる。
【００１３】
第２の形態は、第１の形態において、支持体には、その裏面の下端角部に断面矩形状に切り欠かれて左右方向に延びる下側段差部がさらに設けられ、背板は、第１の背板の下方に設けられかつ裏面が建物の壁面に取り付けられる第２の背板を含み、建物の壁面と支持体の下側段差部との間に形成される間隙に第２の背板の上端部が差し込まれていることを特徴とする。
【００１４】
この第２の形態によれば、基準位置に設けられる支持体の下側に第２の背板が設けられることにより、収納家具全体における下側の収納空間をより広く確保することができる。また、建物の壁面と支持体の下側段差部との間に形成される間隙に第２の背板の上端部が差し込まれているため、簡易な構成により第２の背板が建物の壁面に取り付けられている状態を維持することができる。
【００１５】
第３の形態は、第１または第２の形態において、家具本体は、支持体の上方に設けられかつ建物の壁面に左右方向に延びるように裏面で取り付けられる板材からなる補助支持体を備え、補助支持体の裏面の上端角部および下端角部のそれぞれに断面矩形状に切り欠かれて左右方向に延びる上側段差部および下側段差部がそれぞれ設けられ、背板は、第１の背板の上方に設けられかつ裏面が建物の壁面に取り付けられる第３の背板を含み、補助支持体が建物の壁面に取り付けられている状態で、建物の壁面と補助支持体の下側段差部との間に形成される間隙に第１の背板の上端部が差し込まれかつ建物の壁面と補助支持体の上側段差部との間に形成される間隙に第３の背板の下端部が差し込まれていることを特徴とする。
【００１６】
この第３の形態によれば、基準位置に設けられる支持体の上方に補助支持体を設けることにより、支持体とともに家具本体をより強固に支持することができる。また、補助支持体の上側に第３の背板が設けられることにより、収納家具自体を上下に分けることなく、収納家具全体における上側の収納空間をより広く確保することができる。さらに、建物の壁面と補助支持体の上側段差部との間に形成される間隙に第３の背板の下端部が差し込まれているため、簡易な構成により第３の背板が建物の壁面に取り付けられている状態を維持することができる。
【００１７】
第４の形態は、第３の形態において、第１〜第３の背板の各々には、その裏面に建物の壁面に取り付けるための粘着部が設けられていることを特徴とする。
【００１８】
この第４の形態によれば、支持体および補助支持体による支持を受けつつ、粘着部により仮止めしながら壁面に各背板を容易に取り付けることができる。
【００１９】
第５の形態は、第３または第４の形態において、左右の側板の各々は、支持体および補助支持体の左右両端部に取り付けられていることを特徴とする。
【００２０】
この第５の形態によれば、基準位置に設けられている支持体およびその上方に設けられている補助支持体による支持を受けつつ、適切な位置に左右の側板の各々を設置することができる。
【００２１】
第６の形態は、第３〜第５のいずれかの形態において、左右の側板の間に設けられて、支持体および補助支持体に取り付けられる中央側板をさらに備えることを特徴とする。
【００２２】
この第６の形態によれば、基準位置に設けられている支持体およびその上方に設けられている補助支持体による支持を受けつつ、適切な位置に中央側板を設置することができる。
【００２３】
第７の形態は、第１の形態の収納家具を用いた収納家具の施工方法であって、家具本体を建物の壁面に吊り下げるための基準位置に合わせて支持体を建物の壁面に取り付けて、建物の壁面と支持体の上側段差部との間に間隙を形成するステップと、第１の背板の下端部を該間隙に差し込んで、第１の背板を建物の壁面に取り付けるステップと、を備えることを特徴とする。
【００２４】
この第７の形態によれば、家具本体を建物の壁面に吊り下げるための基準位置に支持体を取り付け、建物の壁面と支持体の上側段差部との間に形成される間隙に第１の背板の下端部を差し込むことにより、背板を含む家具本体の位置が定まりやすくなり、家具本体の位置合わせを一度で済ませて、支持体の位置を基準に背板を含めた家具本体を壁面に吊り下げることができる。
【００２５】
第８の形態は、第７の形態による収納家具の施工方法において、支持体には、第２の形態による下側段差部が設けられ、背板は、第２の形態による第２の背板を含み、支持体を建物の壁面に取り付ける前に第２の背板の上端部を支持体の下側段差部に連結して、支持体とともに第２の背板を建物の壁面に取り付けるステップを備えることを特徴とする。
【００２６】
この第８の形態によれば、建物の壁面と支持体の下側段差部との間に形成される間隙に第２の背板の上端部を差し込むことで、第２の背板を簡易な方法で建物の壁面に取り付けることが可能となり、収納家具全体における下側の収納空間をより広く確保することができる。
【００２７】
第９の形態は、第８の形態による収納家具の施工方法において、第２の背板の裏面には建物の壁面に取り付けるための粘着部が設けられており、支持体を建物の壁面に取り付ける前に、粘着部により支持体および第２の背板を建物の壁面に仮止めし、この仮止め状態で、支持体の位置調整を行うステップを備える。
【００２８】
この第９の形態によれば、支持体を壁面に取り付ける前に、支持体の水平度を含めた位置調整を簡単に行うことができる。
【００２９】
第１０の形態は、第７〜第９のいずれかの形態による収納家具の施工方法において、収納家具は、第３の形態による補助支持体をさらに備え、背板は、第３の形態による第３の背板を含み、第１の背板を建物の壁面に取り付ける前に第１の背板の上端部を補助支持体の下側段差部に連結して、第１の背板とともに補助支持体を建物の壁面に取り付けて、建物の壁面と補助支持体の上側段差部との間に間隙を形成するステップと、第３の背板の下端部を該間隙に差し込んで、第３の背板を建物の壁面に取り付けるステップと、を備えることを特徴とする。
【００３０】
この第１０の形態によれば、補助支持体により支持体とともに家具本体をより強固に支持することができるとともに、建物の壁面と補助支持体の上側段差部との間に形成される間隙に第３の背板の下端部を差し込むことで、第３の背板を簡易な方法で建物の壁面に取り付けることが可能となり、収納家具自体を上下に分けることなく、収納家具全体における上側の収納空間をより広く確保することができる。
【００３１】
第１１の形態は、第１０の形態による収納家具の施工方法において、左右の側板の各々を支持体および補助支持体の左右両端部に取り付けるステップと、第６の形態による中央側板を左右の側板の間に配置して、支持体および補助支持体に取り付けるステップと、をさらに備えることを特徴とする。
【００３２】
この第１１の形態によれば、基準位置に設けられている支持体およびその上方に設けられている補助支持体による支持を受けつつ、左右の側板および中央側板の各々を適切な位置に設置することができる。
【発明の効果】
【００３３】
本発明による収納家具およびその施工方法によると、家具本体を建物の壁面に吊り下げるための位置合わせを一度で済ませて、背板を含めた家具本体を組み立てやすくすることができる。
【図面の簡単な説明】
【００３４】
【図１】図１は、本発明の実施形態に係る収納家具を示す斜視図である。
【図２】図２は、扉を取り外した状態の収納家具を示す斜視図である。
【図３】図３は、背板の取付状態を示す斜視図である。
【図４】図４は、支持体に中央背板を取り付ける際の側面図である。
【図５】図５は、家具本体の分解斜視図である。
【図６】図６は、図５のVI−VI線縦断面図である。
【図７】図７は、左側板の背面を示す部分斜視図である。
【図８】図８は、中央側板の背面を示す図７相当図である。
【図９】図９は、左側板と補助支持体との取付状態を内側から見て示す斜視図である。
【図１０】図１０は、Ｌ型金具の取付状態を示す図９相当図である。
【図１１】図１１は、カバーの取付状態を示す図１０相当図である。
【図１２】図１２は、底板と締結金具との取付状態を示す斜視図である。
【図１３】図１３は、左側板と底板との取付状態を示す斜視図である。
【図１４】図１４は、天板と締結金具との取付状態を示す図１２相当図である。
【図１５】図１５は、左側板と天板との取付状態を示す斜視図である。
【図１６】図１６は、左側板と固定棚板との取付状態を示す斜視図である。
【図１７】図１７は、化粧板を固定棚板の上に載せている状態を示す斜視図である。
【発明を実施するための形態】
【００３５】
以下、本発明の実施形態を図面に基づいて詳細に説明する。以下の実施形態の説明は、本質的に例示に過ぎず、本発明、その適用物あるいはその用途を制限することを意図するものではない。
【００３６】
［収納家具の構造］
図１〜図１７は、本発明の実施形態に係る収納家具１を示す。この収納家具１は、建物の壁面Ｗに吊り下げられる形式のものであり、主に玄関に設置され、例えば靴を収納するために用いられる。
【００３７】
図１に示すように、収納家具１は、その前側が開口された矩形箱状の家具本体２を備えている。図２〜図６に示すように、家具本体２は、建物の壁面Ｗに左右方向に延びるように裏面で取り付けられる支持体１０Ｒ，１０Ｌを備えている。この支持体１０Ｒ，１０Ｌの各々は、例えば木製の板材からなり、支持体１０Ｒの左右方向長さが支持体１０Ｌの左右方向長さよりも長く形成されている。
【００３８】
図３に示すように、支持体１０Ｒ，１０Ｌの各々は、直線上に左右に並らんだ状態で壁面Ｗに取り付けられている。また、支持体１０Ｒ，１０Ｌは、図４および図６に示すように、上下方向中央を基準位置Ｙに合わせて取り付けられている。この基準位置Ｙは、家具本体２を壁面Ｗに吊り下げるための基準となる高さ位置に設定され、例えば、玄関の土間Ｆから所定の高さＨの位置に定められる。
【００３９】
図４および図６に示すように、この支持体１０Ｒ，１０Ｌの裏面には、上端角部および下端角部のそれぞれに断面矩形状に切り欠かれて左右方向に延びる上側段差部１１および下側段差部１２がそれぞれ設けられている。ここで、上側段差部１１および下側段差部１２の各々は、後述する背板３０の厚みと略同じ寸法だけ厚み方向に切り欠かれているのが好ましい。
【００４０】
図６に示すように、右側の支持体１０Ｒの左右方向における中央部および両端部には、支持体１０Ｒを壁面Ｗに取り付けるねじ９２を挿通させるための貫通孔１３，１３，１３がそれぞれ設けられている。また、支持体１０Ｒの両端部において、上記貫通孔１３から支持体１０Ｒの左右方向外側に所定の間隔をあけた位置に、ボルトＰを取り付けるためのボルト取付穴１４，１４がそれぞれ設けられている。このボルト取付穴１４，１４に取り付けられるボルトＰは、後述する右側板４０Ｒおよび中央側板４０Ｃのそれぞれを取り付けるためのものであり、図５に示すように、支持体１０Ｒが壁面Ｗに取り付けられた後にボルト取付穴１４，１４にボルトＰが取り付けられた状態となっている。さらに、支持体１０Ｒの両端部において、上記貫通孔１３から支持体１０Ｒの左右方向内側に所定の間隔をあけた位置に、後述するＬ型金具９４を取り付けるための３つの取付穴１５，１５，…がそれぞれ設けられている。これらの取付穴１５，１５，…は、縦方向に等間隔で一列に並んで形成されている。なお、左側の支持体１０Ｌも右側の支持体１０Ｒと同様の構成であるため、詳細な説明は省略する。
【００４１】
図３〜図６に示すように、家具本体２は、支持体１０Ｒ，１０Ｌの上方に設けられかつ建物の壁面Ｗに左右方向に延びるように裏面で取り付けられる板材からなる補助支持体２０Ｒ，２０Ｌを備えている。この補助支持体２０Ｒ，２０Ｌの裏面には、支持体１０Ｒ，１０Ｌと同様に、上側段差部２１および下側段差部２２がそれぞれ設けられている。また、補助支持体２０Ｒ，２０Ｌの各々は、貫通孔２３，２３，…と、ボルト取付穴２４，２４と、取付穴２５，２５，…とを有している。なお、本実施形態において、補助支持体２０Ｒ，２０Ｌの各々は支持体１０Ｒ，１０Ｌの各々と同じ部材が用いられているため、補助支持体２０Ｒ，２０Ｌの構成に関する詳細な説明は省略する。
【００４２】
また、図２〜図６に示すように、家具本体２は、建物の壁面Ｗに取り付けられる左右の背板３０Ｒ，３０Ｌを有している。背板３０Ｒ，３０Ｌの各々は、例えば木製の矩形状薄板材からなり、左右に並んで壁面Ｗに取り付けられている。この右側の背板３０Ｒの左右方向長さは、支持体１０Ｒの左右方向長さと同じ長さに、また左側の背板３０Ｌの左右方向長さは、支持体１０Ｌの左右方向長さと同じ長さにそれぞれ形成されている。
【００４３】
図３および図５に示すように、この背板３０は、支持体１０Ｒ，１０Ｌの上側に設けられる中央背板３１Ｒ，３１Ｌ（第１の背板）と、この中央背板３１Ｒ，３１Ｌの下方でかつ支持体１０Ｒ，１０Ｌの上側に設けられる下側背板３２Ｒ，３２Ｌ（第２の背板）と、上記中央背板３１Ｒ，３１Ｌの上方でかつ補助支持体２０Ｒ，２０Ｌの上側に設けられる上側背板３３Ｒ，３３Ｌ（第３の背板）と、を含んでいる。ここで、下側背板３２Ｒ，３２Ｌおよび上側背板３３Ｒ，３３Ｌの各々は、上下方向長さが同じ長さに形成されており、かつ中央背板３１Ｒ，３１Ｌの上下方向長さよりも短く形成されている。
【００４４】
図３および図４に示すように、下側背板３２Ｒ，３２Ｌの上端部が接着剤などにより支持体１０Ｒ，１０Ｌの下側段差部１２，１２に連結された状態で、支持体１０Ｒ，１０Ｌおよび下側背板３２Ｒ，３２Ｌが壁面Ｗに取り付けられている。ここで、図３に示すように、下側背板３２Ｒ，３２Ｌの裏面には、建物の壁面Ｗに取り付けるための両面テープ９１（粘着部）が設けられており、この両面テープ９１により下側背板３２Ｒ，３２Ｌが壁面Ｗに取り付けられている一方、図６に示すように、貫通孔１３，１３，…に挿通されるねじ９２により支持体１０Ｒ，１０Ｌが壁面Ｗに固定されている。すなわち、図６に示すように、支持体１０Ｒ，１０Ｌが壁面Ｗに取り付けられている状態で、建物の壁面Ｗと支持体１０Ｒ，１０Ｌの下側段差部１２との間に左右方向に延びる間隙Ｂが形成され、この間隙Ｂに下側背板３２Ｒ，３２Ｌの上端部が差し込まれている状態となっている。
【００４５】
また、図４に示すように、支持体１０Ｒ，１０Ｌが壁面Ｗに取り付けられている状態では、壁面Ｗと支持体１０Ｒ，１０Ｌの上側段差部１１，１１との間に、左右方向に延びる間隙Ａが形成されており、中央背板３１Ｒ，３１Ｌの上端部が補助支持体２０Ｒ，２０Ｌの下側段差部２２，２２に連結されている状態で、この間隙Ａに中央背板３１Ｒ，３１Ｌの下端部が差し込まれているとともに、補助支持体２０Ｒ，２０Ｌおよび中央背板３１Ｒ，３１Ｌが壁面Ｗに取り付けられている。
【００４６】
ここで、図３に示すように、中央背板３１Ｒ，３１Ｌの裏面にも両面テープ９１が設けられており、この両面テープ９１により中央背板３１Ｒ，３１Ｌが壁面Ｗに取り付けられている一方、図６に示すように、貫通孔２３，２３，…に挿通されるねじ９２により補助支持体２０Ｒ，２０Ｌが壁面Ｗに固定されている。すなわち、図６に示すように、補助支持体２０Ｒ，２０Ｌが壁面Ｗに取り付けられている状態で、建物の壁面Ｗと補助支持体２０Ｒ，２０Ｌの下側段差部２２との間に左右方向に延びる間隙Ｄが形成され、この間隙Ｄに中央背板３１Ｒ，３１Ｌの上端部が差し込まれている状態となっている。
【００４７】
さらに、図６に示すように、補助支持体２０Ｒ，２０Ｌが壁面Ｗに取り付けられている状態で、壁面Ｗと補助支持体２０Ｒ，２０Ｌの上側段差部２１，２１との間には左右方向に延びる間隙Ｃが形成されている。この間隙Ｃに上側背板３３Ｒ，２０Ｌの下端部が差し込まれているとともに、上側背板３３Ｒ，２０Ｌの裏面に設けられた両面テープ９１により、上側背板３３Ｒ，２０Ｌが壁面Ｗに取り付けられている。
【００４８】
図２に示すように、家具本体２は左右の側板４０Ｒ，４０Ｌを備えている。左右の側板４０Ｒ，４０Ｌは、例えば木製の矩形状板材からなり、家具本体２の奥行き方向よりも高さ方向に長く形成されかつ背板３０の高さ寸法と同じ高さに形成されている。図５に示すように、左側板４０Ｌの内側面（後述する中央側板４０Ｃに対向する面）における四隅には、後述する底板５０Ｌおよび天板６０Ｌを取り付けるためのボルトＰがそれぞれ設けられている。右側板４０Ｒの内側面における四隅にも、同様にボルトＰがそれぞれ設けられている。
【００４９】
以下、左側板４０Ｌについて説明する。図５および図７に示すように、左側板４０Ｌの後端部には、左側板４０Ｌの内側面の角部を外側面近くまで厚さ方向に部分的に凹陥状に切り欠いた矩形状の上側嵌合部４１ａおよび下側嵌合部４１ｂが設けられている。すなわち、上側嵌合部４１ａおよび下側嵌合部４１ｂの各々は、左側板４０Ｌの内側面から見た状態において、略コ字状に切り欠かれた形状を有する。なお、図７に示すように、左側板４０Ｌの後端部には、背板３０の端部を嵌め込むための背板嵌合部４７が設けられている。この背板嵌合部４７は、上側嵌合部４１ａおよび下側嵌合部４１ｂ以外の領域において、左側板４０Ｌの内側面の角部を外側面近くまで厚さ方向に部分的に切り欠かれた形状になっている。
【００５０】
左側板４０Ｌが支持体１０Ｌおよび補助支持体２０Ｌに取り付けられた状態で、上側嵌合部４１ａは、補助支持体２０Ｌに対向する高さ位置に形成されかつ補助支持体２０Ｌに嵌め込むことができるような上下幅に形成されている一方、下側嵌合部４１ｂは、支持体１０Ｌに対向する高さ位置に形成されかつ支持体１０Ｌに嵌め込むことができるような上下幅に形成されている。
【００５１】
また、図７に示すように、上側嵌合部４１ａおよび下側嵌合部４１ｂの各々の垂直端面における上下方向中央には、補助支持体２０Ｌのボルト取付穴２４に取り付けられているボルトＰの頭部を挿入するための挿入穴４２が左側板４０Ｌの前後方向に沿って設けられている。
【００５２】
また、図５および図７に示すように、左側板４０Ｌの内側面における上側および下側には、内側面から厚さ方向に向かって、後述する締結金具９３を埋め込むための有底状の埋込穴４３がそれぞれ設けられている。埋込穴４３の各々は、上側嵌合部４１ａおよび下側嵌合部４１ｂのそれぞれに設けられる挿入穴４２の方向に直交しかつ左側板４０Ｌの内部で挿入穴４２に連通している。なお、埋込穴４３の各々には、家具本体２を組み立てる前から予め締結金具９３が圧入されている（図９参照）。
【００５３】
締結金具９３は、一般的なノックダウン金具からなる。図９に示すように、左側板４０Ｌの上側嵌合部４１ａが補助支持体２０Ｌに嵌め合わされかつ補助支持体２０Ｌのボルト取付穴２４に取り付けられたボルトＰ（図５参照）が左側板４０Ｌの挿入穴４２に挿入された状態で、締結金具９３の操作穴９３ａに差し込まれたドライバー（図示せず）により、締結金具９３のロック部（図示せず）が時計回りに所定の角度だけ回転し、上記ボルトＰが締結部材９３に固定されて、左側板４０Ｌが補助支持体２０Ｌに固定された状態となっている。また、左側板４０Ｌの下側嵌合部４１ｂについても、同様の形式により、支持体１０Ｌに左側板４０Ｌが固定されている。
【００５４】
図５および図９に示すように、左側板４０Ｌの内側面における上側および下側には、Ｌ型金具９４を取り付けるための３つの取付穴４４，４４，…がそれぞれ設けられている。また、図１０に示すように、Ｌ型金具９４は、上記取付穴４４，４４，…に対応する位置および支持体１０Ｌの取付穴１５，１５，…に対応する位置のそれぞれに貫通孔９４ａ，９４ａ，…が形成されている。
【００５５】
左側板４０Ｌが支持体１０Ｌおよび補助支持体２０Ｌに固定された状態で、図９および図１０に示すように、Ｌ型金具９４の上記貫通孔９４ａの各々を補助支持体２０Ｌの取付穴１５，１５，…および左側板４０Ｌの取付穴４４，４４，…のそれぞれの位置に合わせてＬ型金具９４がねじ止めされ、図１１に示すように、そのＬ型金具９４に樹脂製のカバー９５が嵌め合わされている。これにより、補助支持体２０Ｌおよび左側板４０Ｌに設けられている各々の穴が隠された状態となっている。支持体２０Ｌおよび左側板４０Ｌにも、同様にＬ型金具９４およびカバー９５が設けられている。
【００５６】
また、図５に示すように、左側板４０Ｌの内側面には、後述する固定棚板７０Ｒ，７０Ｌを取り付けるための複数のダボ穴４６，４６，…が設けられている。また、左側板４０Ｌにおける内側面の前側には、後述する片開き扉８１を開閉させるための蝶番９７，９７，…が設けられている。
【００５７】
以上、左側板４０Ｌの主な構成について説明したが、右側板４０Ｒについても、左側板４０Ｌの面対称となる位置に、上側嵌合部４１ａ、下側嵌合部４１ｂ、挿入穴４２、埋込穴４３，および取付穴４４が設けられており、左側板４０Ｌと同様の態様で、支持体１０Ｒの右端部および補助支持体２０Ｒの右端部のそれぞれに右側板４０Ｒが取り付けられている。また、後述する中央側板４０Ｃの側面に対向する右側板４０Ｒの内側面には、中央側板４０Ｃの内側面と面対称となる位置に複数のダボ穴４６，４６，…および蝶番９７，９７，…が設けられている。
【００５８】
次に、図２に示すように、右側板４０Ｒと左側板４０Ｌとの間に設けられかつ支持体１０Ｒと支持体１０Ｌとの境界（補助支持体２０Ｒと補助支持体２０Ｌとの境界）となる位置に中央側板４０Ｃが設けられている。この中央側板４０Ｃにおける両側面の各々の四隅には、後述する底板５０Ｌおよび天板６０Ｌを取り付けるためのボルトＰがそれぞれ設けられている。
【００５９】
図５および図８に示すように、中央側板４０Ｃの後端部には、矩形の凹陥状に切り欠かれた上側嵌合部４５ａおよび下側嵌合部４５ｂが設けられている。すなわち、上側嵌合部４５ａおよび下側嵌合部４５ｂの各々は、側面から見た状態において、略コ字状に切り欠かれた形状を有する。
【００６０】
中央側板４０Ｃが支持体１０Ｒ，１０Ｌおよび補助支持体２０Ｒ，２０Ｌに取り付けられた状態で、上側嵌合部４５ａは、補助支持体２０Ｒ，２０Ｌに対向する高さ位置に形成されかつ補助支持体２０Ｒ，２０Ｌに嵌め込むことができるような上下幅に形成されている一方、下側嵌合部４５ｂは、支持体１０Ｒ，１０Ｌに対向する高さ位置に形成されかつ支持体１０Ｒ，１０Ｌに嵌め込むことができるような上下幅に形成されている。
【００６１】
また、図８に示すように、上側嵌合部４５ａの垂直端面における上下方向中央には、補助支持体２０Ｒ，２０Ｌのボルト取付穴２４の各々に取り付けられているボルトＰの頭部を挿入するための挿入穴４２，４２が水平方向に並んで設けられている。
【００６２】
また、図８に示すように、中央側板４０Ｃにおける両側面の各々の上側および下側には、埋込穴４３と、取付穴４４，４４，…がそれぞれ設けられている。なお、埋込穴４３および取付穴４４，４４，…は、上述した左側板４０Ｌと同様であるため、詳細な説明は省略する。
【００６３】
中央側板４０Ｃは、上側嵌合部４５ａおよび下側嵌合部４５ｂの各々が支持体１０Ｒ，１０Ｌおよび補助支持体２０Ｒ，２０Ｌのそれぞれに嵌め合わされかつ２本のボルトＰの頭部が挿入穴４２，４２に挿入された状態で、上述した左側板４０Ｌと同様の態様で、支持体１０Ｒ，１０Ｌおよび補助支持体２０Ｒ，２０Ｌに取り付けられている。また、左側板４０Ｌと同様に、Ｌ型金具９４およびカバー９５が取り付けられている。
【００６４】
また、図５に示すように、右側板４０Ｒの内側面に対向する中央側板４０Ｃの側面には、後述する固定棚板７０Ｒ，７０Ｌを取り付けるための複数のダボ穴４６，４６，…が上下方向に所定の間隔で一列に並んで前側および後側のそれぞれに設けられている。また、両開き扉８２，８２の各々を開閉させるための蝶番９７，９７，…が設けられている。図示しないが、左側板４０Ｌの内側面に対向する中央側板４０Ｃの側面には、左側板４０Ｌの内側面と面対称となる位置に複数のダボ穴４６，４６，…および蝶番９７，９７，…が設けられている。
【００６５】
図２〜図６に示すように、家具本体２は、左右の側板４０Ｒ，４０Ｌの各々と中央側板４０Ｃとの間に設けられる底板５０Ｒ，５０Ｌを備えている。この底板５０Ｒ，５０Ｌの各々は、例えば木製の板材からなり、底板５０Ｒの左右方向長さが底板５０Ｌの左右方向長さよりも長く形成されている。
【００６６】
以下、左側の底板５０Ｌについて説明する。図５および図１２に示すように、底板５０Ｌの下面における四隅の各々には、後述する締結金具９６を埋め込むための埋込孔５１がそれぞれ設けられている。埋込孔５１は、その下面から厚さ方向に向かって貫通し、左右方向の端部が一部切り欠かれている。なお、埋込孔５１の各々には、家具本体２を組み立てる前から予め締結金具９６が圧入されている。
【００６７】
図１２に示すように、締結金具９６は、一般的なノックダウン金具からなり、カップ状に成形されたもので、その外周面には貫通長溝９６ｂが形成されている。ここで、底板５０Ｌが左側板４０Ｌと中央側板Ｃとの間に配置され、左側板４０Ｌおよび中央側板４０Ｃに取り付けられたボルトＰの各々の頭部に締結金具９６の貫通長溝９６ｂのそれぞれが嵌まり込んでいる。この状態で、図１３に示すように、底板５０Ｌの埋込孔５１から締結金具９６の操作穴９６ａにドライバーが差し込まれ、締結金具９６のロック部（図示せず）が時計回りに所定の角度だけ回転される。これにより、上記ボルトＰの頭部が締結金具９６に固定され、底板５０Ｌが左側板４０Ｌに固定された状態となっている。同様の形式により、中央側板Ｃにも底板５０Ｌが固定されている。
【００６８】
以上、左側の底板５０Ｌの主な構成について説明したが、右側の底板５０Ｒについても、底板５０Ｌと同様に、右側板４０Ｒおよび中央側板Ｃのそれぞれに取り付けられている。
【００６９】
図２および図５に示すように、家具本体２は、木製の板材からなり、左右の側板４０Ｒ，４０Ｌの各々と中央側板４０Ｃとの間に設けられる天板６０Ｒ，６０Ｌを備えている。
【００７０】
以下、左側の天板６０Ｌについて説明する。図５および図１４に示すように、天板６０Ｌの下面における四隅の各々には、締結金具９６を埋め込むための埋込穴６１がそれぞれ設けられている。埋込穴６１は、その下面から厚さ方向に向かって形成され、左右方向の端部が一部切り欠かれている。なお、埋込穴６１の各々には、家具本体２を組み立てる前から予め締結金具９６が圧入されている。
【００７１】
天板６０Ｌは左側板４０Ｌと中央側板Ｃとの間に配置され、左側板４０Ｌおよび中央側板４０Ｃに取り付けられたボルトＰの頭部に締結金具９６の貫通長溝９６ｂのそれぞれが嵌まり込んでいる。この状態で、図１５に示すように、締結金具９６の操作穴９６ａに差し込まれたドライバーによって、上記ボルトＰが締結金具９６のロック部に固定され、天板６０Ｌが左側板４０Ｌに固定された状態となっている。また、中央側板Ｃにも天板６０Ｌが固定されている。
【００７２】
以上、左側の天板６０Ｌの主な構成について説明したが、右側の天板６０Ｒについても、天板６０Ｌと同様に、右側板４０Ｒおよび中央側板Ｃのそれぞれに取り付けられている。
【００７３】
図２および図５に示すように、家具本体２は、左右の側板４０Ｒ，４０Ｌの各々と中央側板４０Ｃとの間に設けられる複数の固定棚板７０Ｒ，７０Ｌを備えている。なお、本実施形態において、固定棚板７０Ｒ，７０Ｌの各々には上記天板６０Ｒ，６０Ｌの各々と同じ部材が用いられている。
【００７４】
ここで、収納家具１の家具本体２の上下方向において、家具本体２の上下方向を必要に応じて２分割〜４分割した位置に固定棚板７０Ｒ，７０Ｌが設けられる場合がある。このように固定棚板７０Ｒ，７０Ｌを設ける場合は、当該固定棚板７０Ｒ，７０Ｌを底板５０Ｒ，５０Ｌと同様の構成とみなしてもよいものとする。すなわち、本実施形態における固定棚板７０Ｒ，７０Ｌは、各側板に取り外し可能に架設される後述の可動棚板７１とは異なり、例えば締結金具９６によって各側板と緊結される固定棚板をいう。より具体的には、固定棚板７０Ｌは、左側板４０Ｌおよび中央側板４０Ｃの内側面に設けられた複数のダボ穴４６，４６，…のいずれかにボルトＰが差し込まれた状態で、左側板４０Ｌと中央側板との間に配置され、底板５０Ｌと同様の態様で、左側板４０Ｌおよび中央側板Ｃのそれぞれに取り付けられている（図１６参照）。固定棚板７０Ｒについても、同様に右側板４０Ｒおよび中央側板Ｃのそれぞれに取り付けられている。
【００７５】
また、図２および図５に示すように、家具本体２は、左右の側板４０Ｒ，４０Ｌの各々と中央側板４０Ｃとの間に架設される複数の可動棚板７１Ｒ，７１Ｌを備えている。より具体的には、可動棚板７１Ｒ，７１Ｌの各々は、各側板４０Ｒ，４０Ｌ，４０Ｃのダボ穴４６，４６，…に着脱自在に挿入されるダボ（図示せず）に対して取り外し可能に架設されている。
【００７６】
次に、図１に示すように、収納家具１は、家具本体２の前側に配置され、開口を開閉する複数の扉８０を備えている。左側板４０Ｌと中央側板４０Ｃとの間には、片開き扉８１が設けられており、この片開き扉８１の裏面に３つの蝶番（図示せず）が上下方向に設けられ、この蝶番の各々と左側板４０Ｌに設けられている蝶番９７とが連結されている。
【００７７】
また、図１に示すように、右側板４０Ｒと中央側板４０Ｃとの間には、２つの両開き扉８２，８２が上下に分かれてそれぞれ設けられており、両開き扉８２，８２の各々の裏面に２つの蝶番（図示せず）が上下方向に設けられ、この蝶番の各々と右側板４０Ｒおよび中央側板４０Ｃの各々に設けられている蝶番９７，９７とが連結されている。さらに、下側に設けられている両開き扉８２の上方において、家具本体２の棚部分を構成する化粧板９８が固定棚板７０Ｒの上面に載せられている（図１および図１７参照）。
【００７８】
［収納家具の施工方法］
以下、本発明の実施形態に係る収納家具１の施工方法を示す。
【００７９】
まず、図４に示すように、支持体１０Ｒ，１０Ｌの上下方向中央を基準位置Ｙに合わせて取り付ける。このとき、支持体１０Ｒ，１０Ｌを壁面Ｗに取り付ける前に、支持体１０Ｒ，１０Ｌの下側段差部１２，１２に下側背板３２Ｒ，３２Ｌの上端部を連結した状態としておく。この連結状態において、下側背板３２Ｒ，３２Ｌの裏面に設けられている両面テープ９１により、下側背板３２Ｒ，３２Ｌを壁面Ｗに取り付けて、支持体１０Ｒ，１０Ｌおよび下側背板３２Ｒ，３２Ｌを仮止め状態にしておく。この仮止め状態で、図示しない水平器を用いて、支持体１０Ｒ，１０Ｌが水平に配置されるように位置調整を行う。支持体１０Ｒ，１０Ｌが水平に配置されたことを確認した後、貫通孔１３，１３，…にねじ９２，９２，…を挿通して、支持体１０Ｒ，１０Ｌを壁面Ｗに固定し、ボルト取付穴１４，１４にボルトＰを取り付ける。このとき、壁面Ｗと支持体１０Ｒ，１０Ｌの上側段差部１１との間に、左右方向に延びる間隙Ａが形成される。
【００８０】
次に、図３および図４に示すように、中央背板３１Ｒ，３１Ｌを建物の壁面Ｗに取り付ける前に、中央背板３１Ｒ，３１Ｌの上端部を補助支持体２０Ｒ，２０Ｌの下側段差部２２，２２に連結した状態とする。この連結状態において、間隙Ａに中央背板３１Ｒ，３１Ｌの下端部を差し込む。間隙Ａに中央背板３１Ｒ，３１Ｌの下端部を差し込んだ後、中央背板３１Ｒ，３１Ｌの裏面に設けられている両面テープ９１により、中央背板３１Ｒ，３１Ｌを壁面Ｗに取り付けてから、貫通孔１３，１３，…にねじ９２，９２，…を挿通して補助支持体２０Ｒ，２０Ｌを壁面Ｗに固定し、ボルト取付穴２４，２４にボルトＰを取り付ける。このとき、壁面Ｗと補助支持体２０Ｒ，２０Ｌの上側段差部２１，２１との間に、左右方向に延びる間隙Ｃが形成される。
【００８１】
次に、図３に示すように、上側背板３３Ｒ，３３Ｌの下端部を間隙Ｃに差し込み、上側背板３３Ｒ，３３Ｌの裏面に設けられた両面テープ９１により、上側背板３３Ｒ，３３Ｌを壁面Ｗに取り付ける。以上により、背板３０が壁面Ｗに取り付けられた状態となる。
【００８２】
次に、図９に示すように、左側板４０Ｌを支持体１０Ｌおよび補助支持体２０Ｌの左端部に取り付ける。まず、左側板４０Ｌの上側嵌合部４１ａを補助支持体２０Ｌの左端部に嵌め込み、補助支持体２０Ｌのボルト取付穴２４に取り付けられているボルトＰの頭部を挿入穴４２に挿入する。同様に、左側板４０Ｌの下側嵌合部４１ｂを支持体１０Ｌの左端部に嵌め込み、支持体１０Ｌのボルト取付穴２４に取り付けられているボルトＰの頭部を挿入穴４２に挿入する。次に、上側の埋込穴４３に設けられている締結金具９３の操作穴９３ａにドライバーを差し込み、この締結金具９３のロック部を時計回りに所定の角度だけ回転して、締結部材９３にボルトＰの頭部を固定する。これにより、左側板４０Ｌが補助支持体２０Ｌに固定された状態となる。同様の方法により、左側板４０Ｌを支持体１０Ｌに固定する。
【００８３】
右側板４０Ｒについても、左側板４０Ｌと同様の方法により、支持体１０Ｒの右端部および補助支持体２０Ｒの右端部のそれぞれに固定する。
【００８４】
さらに、中央側板４０Ｃについても、支持体１０Ｒと支持体１０Ｌとの境界（補助支持体２０Ｒと補助支持体２０Ｌとの境界）に配置し、左側板４０Ｌと同様の方法により、支持体１０Ｒ，１０Ｌおよび補助支持体２０Ｒ，２０Ｌのそれぞれに固定する。
【００８５】
図１０および図１１に示すように、各側板４０Ｒ，４０Ｌ，４０Ｃを支持体１０Ｒ，１０Ｌおよび補助支持体２０Ｒ，２０Ｌに固定した後に、各々の穴を隠すため、支持体１０Ｒ，１０Ｌおよび補助支持体２０Ｒ，２０Ｌの各々と側板４０Ｒ，４０Ｌ，４０Ｃの各々との隅角部分にＬ型金具９４を取り付けて、その上からカバー９５を嵌め合わせる。
【００８６】
次に、図１３に示すように、底板５０Ｌを左側板４０Ｌと中央側板４０Ｃとの間に取り付ける。底板５０Ｌを左側板４０Ｌと中央側板Ｃとの間に配置し、左側板４０Ｌおよび中央側板４０Ｃのそれぞれに取り付けられたボルトＰの頭部に締結金具９６の貫通長溝９６ｂのそれぞれを嵌め込む。その状態で、底板５０Ｌの上面に形成されている埋込孔５１から締結金具９６の操作穴９６ａにドライバーを差し込み、締結金具９６のロック部を時計回りに所定の角度だけ回転し、ボルトＰの頭部を締結金具９６に固定する。これにより、底板５０Ｌが左側板４０Ｌに固定された状態となる。同様の方法により、中央側板Ｃにも底板５０Ｌを固定する。底板５０Ｒについても、底板５０Ｌと同様の方法により、右側板４０Ｒと中央側板４０Ｃとの間に固定する。
【００８７】
次に、図１４に示すように、天板６０Ｌを左側板４０Ｌと中央側板４０Ｃとの間に取り付ける。天板６０Ｌを左側板４０Ｌと中央側板Ｃとの間に配置し、左側板４０Ｌおよび中央側板４０Ｃのそれぞれに取り付けられたボルトＰの頭部に締結金具９６の貫通長溝９６ｂのそれぞれを嵌め込む。その状態で、締結金具９６の操作穴９６ａにドライバーを差し込んで、ボルトＰの頭部を締結金具９６に固定する。これにより、天板６０Ｌが左側板４０Ｌに固定された状態となる。天板６０Ｒについても、天板６０Ｌと同様の方法により、右側板４０Ｒと中央側板４０Ｃとの間に固定する。
【００８８】
次に、図１５に示すように、固定棚板７０Ｌを左側板４０Ｌおよび中央側板４０Ｃとの間に取り付ける。左側板４０Ｌおよび中央側板の内側面に設けられた複数のダボ穴４６のいずれかに４本のボルトＰの頭部を差し込み、その状態で、固定棚板７０Ｌを左側板４０Ｌと中央側板４０Ｃとの間に配置し、天板６０Ｌと同様の方法により、左側板４０Ｌおよび中央側板４０Ｃのそれぞれに固定する。固定棚板７０Ｒについても、固定棚板７０Ｌと同様の方法により、右側板４０Ｒと中央側板４０Ｃとの間に固定する。また、可動棚板７１Ｒ，７１Ｌを左右の側板４０Ｒ，４０Ｌの各々と中央側板４０Ｃとの間に架設する。具体的には、各側板４０Ｒ，４０Ｌ，４０Ｃのダボ穴４６，４６，…にダボを挿入し、そのダボの上から可動棚板７１Ｒ，７１Ｌの各々の底面に形成されている係合溝（図示せず）を載せて、左右の側板４０Ｒ，４０Ｌの各々と中央側板４０Ｃとの間に架設する。
【００８９】
次に、片開き扉８１の蝶番の各々を左側板４０Ｌに設けられている蝶番９７，９７，…の各々に連結し、片開き扉８１を左側板４０Ｌと中央側板４０Ｃとの間に取り付ける。また、両開き扉８２，８２の蝶番の各々を右側板４０Ｒに設けられている蝶番９７，９７の各々に連結し、両開き扉８２，８２を右側板４０Ｒと中央側板４０Ｃとの間に取り付ける。最後に、下側の両開き扉８２の位置に設けられている固定棚板７０Ｒの上面に化粧板９８を載せる（図１および図１７参照）。以上により、収納家具１の施工が完了する。
【００９０】
［本実施形態の作用効果］
したがって、本発明の実施形態に係る収納家具１では、支持体１０Ｒ，１０Ｌが家具本体２を建物の壁面Ｗに吊り下げるための基準位置Ｙに取り付けられ、建物の壁面Ｗと支持体１０Ｒ，１０Ｌの上側段差部１１との間に形成される間隙Ａに中央背板３１の下端部が差し込まれているため、背板３０を含む家具本体２の位置が定まりやすくなり、家具本体２の位置合わせを一度で済ませて、支持体１０Ｒ，１０Ｌの位置を基準に背板３０を含めた家具本体２を壁面Ｗに吊り下げることができる。
【００９１】
また、基準位置Ｙに設けられる支持体１０Ｒ，１０Ｌの下側に下側背板３２が設けられることにより、収納家具２全体における下側の収納空間をより広く確保することができる。また、建物の壁面Ｗと支持体１０Ｒ，１０Ｌの下側段差部１２との間に形成される間隙Ｂに下側背板３２の上端部が差し込まれているため、簡易な構成により下側背板３２が建物の壁面Ｗに取り付けられている状態を維持することができる。
【００９２】
また、基準位置Ｙに設けられる支持体１０Ｒ，１０Ｌの上方に補助支持体２０Ｒ，２０Ｌを設けることにより、支持体１０Ｒ，１０Ｌとともに家具本体２をより強固に支持することができる。また、補助支持体２０Ｒ，２０Ｌの上側に上側背板３３が設けられることにより、収納家具２自体を上下に分けることなく、収納家具２全体における上側の収納空間をより広く確保することができる。さらに、建物の壁面Ｗと補助支持体２０Ｒ，２０Ｌの上側段差部２１との間に形成される間隙Ｃに上側背板３３の下端部が差し込まれているため、簡易な構成により上側背板３３が建物の壁面Ｗに取り付けられている状態を維持することができる。
【００９３】
また、中央背板３１、下側背板３２、および上側背板３３の各々には、その裏面に建物の壁面Ｗに取り付けるための両面テープ９１（粘着部）が設けられている。このため、支持体１０Ｒ，１０Ｌおよび補助支持体２０Ｒ，２０Ｌによる支持を受けつつ、中央背板３１、下側背板３２、および上側背板３３の各々を両面テープ９１により仮止めしながら壁面Ｗに容易に取り付けることができる。
【００９４】
また、右側板４０Ｒおよび左側板４０Ｌの各々は、支持体１０Ｒ，１０Ｌおよび補助支持体２０Ｒ，２０Ｌの左右両端部に取り付けられているため、支持体１０Ｒ，１０Ｌおよびその上方に設けられている補助支持体２０Ｒ，２０Ｌによる支持を受けつつ、適切な位置に右側板４０Ｒおよび左側板４０Ｌの各々を設置することができる。
【００９５】
また、中央側板４０Ｃは、右側板４０Ｒと左側板４０Ｌとの間に設けられて、支持体１０Ｒ，１０Ｌおよび補助支持体２０Ｒ，２０Ｌに取り付けられているため、支持体１０Ｒ，１０Ｌおよびその上方に設けられている補助支持体２０Ｒ，２０Ｌによる支持を受けつつ、適切な位置に中央側板４０Ｃを設置することができる。
【００９６】
［その他の実施形態］
本発明の実施形態に係る収納家具１では、主に玄関に設置され、例えば靴を収納するために用いられる形態を示したが、この形態に限られない。すなわち、収納家具１は、玄関以外における建物の室内に設置されてもよい。
【００９７】
本発明の実施形態に係る収納家具１において、家具本体２は、支持体１０Ｒ，１０Ｌおよび補助支持体２０Ｒ，２０Ｌの両方を備える形態としたが、この形態に限られない。すなわち、家具本体２として、支持体１０Ｒ，１０Ｌのみを備える形態（補助支持体２０Ｒ，２０Ｌを備えない形態）であってもよい。支持体１０Ｒ，１０Ｌのみを備える形態の場合、左右の側板４０Ｒ，４０Ｌの上側嵌合部４１ｂおよび中央側板４０Ｃの上側嵌合部４５ｂは不要となる。
【００９８】
本発明の実施形態に係る収納家具１において、背板３０は、中央背板３１Ｒ，３１Ｌ、下側背板３２Ｒ，３２Ｌ、および上側背板３３Ｒ，３３Ｌを備える形態としたが、この形態に限られない。すなわち、背板３０は、少なくとも中央背板３１Ｒ，３１Ｌだけであればよい。
【００９９】
本発明の実施形態に係る収納家具１では、左右に分かれた支持体１０Ｒ，１０Ｌを並べた形態としたが、この形態に限られない。すなわち、支持体１０Ｒ，１０Ｌが左右方向に一体に形成された支持体１０であってもよい。補助支持体２０Ｒ，２０Ｌ、中央背板３１Ｒ，３１Ｌ、下側背板３２Ｒ，３２Ｌ、および上側背板３３Ｒ，３３Ｌについても、同様である。
【０１００】
本発明の実施形態に係る収納家具１では、複数の扉８０を備える形態としたが、この形態に限らず、家具本体２のみを備える形態であってもよい。
【０１０１】
以上、本発明についての実施形態を説明したが、本発明は上述の実施形態のみに限定されず、発明の範囲内で種々の変更が可能である。
【産業上の利用可能性】
【０１０２】
本発明は、建物の壁面に吊り下げられ、主に玄関に設置されて靴などを収納するために用いられる収納家具およびその施工方法として産業上の利用が可能である。
【符号の説明】
【０１０３】
１：収納家具
２：家具本体
１０Ｒ，１０Ｌ：支持体
２０Ｒ，２０Ｌ：補助支持体
１１ａ、２１ａ：上側段差部
１２ｂ、２２ｂ：下側段差部
Ａ、Ｂ、Ｃ、Ｄ：間隙
３０：背板
３１Ｒ，３１Ｌ：中央背板（第１の背板）
３２Ｒ，３２Ｌ：下側背板（第２の背板）
３３Ｒ，３３Ｌ：上側背板（第３の背板）
９１：両面テープ（粘着部）
４０Ｒ：左側板
４０Ｌ：右側板
４０Ｃ：中央側板
５０Ｒ，５０Ｌ：底板
６０Ｒ，６０Ｌ：天板
７０Ｒ，７０Ｌ：固定棚板
７１Ｒ，７１Ｌ：可動棚板
８０：扉
Ｙ：基準位置
【図１】
2016202748.tif 000003
【図２】
2016202748.tif 000004
【図３】
2016202748.tif 000005
【図４】
2016202748.tif 000006
【図５】
2016202748.tif 000007
【図６】
2016202748.tif 000008
【図７】
2016202748.tif 000009
【図８】
2016202748.tif 000010
【図９】
2016202748.tif 000011
【図１０】
2016202748.tif 000012
【図１１】
2016202748.tif 000013
【図１２】
2016202748.tif 000014
【図１３】
2016202748.tif 000015
【図１４】
2016202748.tif 000016
【図１５】
2016202748.tif 000017
【図１６】
2016202748.tif 000018
【図１７】
2016202748.tif 000019